(57)【要約】【課題】  識別機能を有し、かつ構造が簡単でありながら再使用が不可能な識別用バンドを提供する。【解決手段】  識別用バンド１は、帯状体２の少なくとも一方の端部に形成された接着剤層３と、被装着体に対して前記帯状体２をリング状の形態で接着するための被接着部４と、被接着部４及び接着剤層３の形成部の少なくとも一方に形成された切り込み部５とを有し、接着剤層３と被接着部４との接着部の剥離に伴って前記切り込み部５が破壊される。切り込み部５は、Ｖ字状破断ユニットで構成されており、この破断ユニットは、剥離方向の上流側に形成された剥離開始部と、この剥離開始部から下流方向に剥離力を伝播するための伝播部と、この伝播部の下流側に形成され、かつ伝播する剥離力により、帯状体２を破断するための開始部とを有する。【選択図】      図１
2005234497.tif 000002
【特許請求の範囲】
【請求項１】
帯状体の所定部に形成された接着剤層と、この接着剤層との接着により、被装着体に対して前記帯状体をリング状の形態で装着する被接着部と、この被接着部及び接着剤層の形成部の少なくとも一方に切り込み部とを有する識別用バンドであって、前記接着剤層と被接着部との接着部の剥離に伴って切り込み部が破壊される識別用バンド。
【請求項２】
切り込み部が、剥離方向の上流側に形成された少なくとも１つの剥離開始部と、この開始部から下流方向に伝播する剥離力により帯状体を破断するための破断開始部とを備えている請求項１記載の識別用バンド。
【請求項３】
切り込み部が、剥離方向の上流側に形成された少なくとも１つの剥離開始部と、この開始部から下流方向に剥離力を伝播するための伝播部と、この伝播部の下流側に形成され、かつ伝播する剥離力により、帯状体を破断するための破断開始部とを備えている請求項１記載の識別用バンド。
【請求項４】
切り込み部が、剥離開始部を構成する頂部と、この頂部から剥離方向の下流側に向かって帯状体の幅方向に拡がる拡大伝播部と、この拡大伝播部の下流端に位置する破断開始部とで構成された複数の破断ユニットを備えており、複数の破断ユニットが帯状体の縦横方向に隣接している請求項１記載の識別用バンド。
【請求項５】
帯状体の少なくとも一方の面に識別表示が付されている請求項１記載の識別用バンド。
【請求項６】
帯状体の所定部に形成された接着剤層と、この接着剤層との接着により、被装着体に対して前記帯状体をリング状の形態で装着する被接着部と、この被接着部及び接着剤層の形成部の少なくとも一方に切り込み部とを有する識別用バンドを製造する方法であって、前記被接着部及び前記接着剤層の形成部の少なくとも一方に、接着剤層と被接着剤部との接着部の剥離に伴って破壊する切り込み部を形成する識別用バンドの製造方法。
【発明の詳細な説明】
【技術分野】
【０００１】
本発明は、被装着体（装着者又は装着物）を特定又は識別する機能を有し、使用後の再使用が不可能な識別用バンド及びその製造方法に関する。
【背景技術】
【０００２】
病院、遊園地、イベント会場などの多数の人々が集まる場所では、個人又は個人の属するグループを特定又は識別を必要とする場合がある。識別機能を有する媒体として、チケットやＩＤカード等が汎用されている。しかし、チケットやＩＤカード等は、収納場所（例えば、ポケットやケースなど）から取り出して提示した後、収納場所に入れる必要があり、操作が煩雑であるうえに、紛失しやすい。一方、識別表示媒体として、例えば、リストバンドが知られている。この識別用バンドは、識別機能の他に、着脱が容易であることが求められる。例えば、着脱が困難であるため係員による補助が必要な場合は、その人件費が必要となり、さらに、取り外す際刃物で切断する必要がある場合は、安全性が憂慮される。また、特に遊園地などで使用する場合は、取り外し後の不正な再使用を防止する必要がある。
【０００３】
特開２００２−８２６１８号公報（特許文献１）には、一旦連結されると連結部が破壊されない限り連結状態を解除できないクリップを有する認識用バンドが開示されている。すなわち、この認識用バンドは、扁平な表示板部と、表示板部の一端より延長され多数の止め穴を開口した帯部と、前記表示板部の他側に設けた封緘部とを有し、前記封緘部にはオス係合部とメス係合部が連結部を介して配置され、両係合部は薄板部の周囲に切断リングを形成し、前記封緘部の係合力は前記切断リングの切断力より大きく形成されている。しかし、このような認識用バンドは、構造が複雑であり、製造コストが高い。さらに、連結部の凸起が、装着者に違和感を与えることもある。
【０００４】
一方、特開２００３−６６８４９号公報（特許文献２）には、バンド部を備えた長尺体の裏面側に自己接着性を有する接着剤層を有し、この接着剤で接合される情報表示バンドが開示されている。このバンドは、前記識別用バンドにある連結部の凸起を有しないため、装着者に違和感を与えにくい。さらに、構造が単純で生産コストを低く抑えることができる。しかし、このバンドは、一端側のバンド部と、折り返し片を有する他端側のバンド部とを接着剤で張り合わせるとともに、折り返し片を折り曲げて貼着することにより固定する必要があるため、遊園地などで使用する場合、取り外した後に、バンドを不正に再使用できる可能性が高い。
【特許文献１】特開２００２−８２６１８号公報（請求項１）
【特許文献２】特開２００３−６６８４９号公報（請求項１、段落番号[0014]）
【発明の開示】
【発明が解決しようとする課題】
【０００５】
従って、本発明の目的は、簡単な構造でありながら、不正な再使用が不可能な識別用バンドを提供することにある。
【０００６】
本発明の他の目的は、被装着体に対して容易に装着でき、装着感のよい安価な識別用バンドを提供することにある。
【０００７】
本発明のさらに他の目的は、前記識別用バンドを、簡便でかつ容易に製造できる方法を提供することにある。
【課題を解決するための手段】
【０００８】
本発明者は、前記課題を達成するため鋭意検討した結果、帯状体をリング状の形態で被装着体に装着して被接着部と接着剤層とを接着させた状態で、接着剤層と被接着剤部とを互いに剥離するとき、剥離力の伝播に伴って接着部が破壊可能な切り込み部（又は帯状体が破断可能な切り込み部）を、被接着剤部及び接着剤層の形成部の少なくとも一方に形成すると、識別用バンドを簡便に装着できるとともに、構造が簡単であり製造が容易でありながら、再使用できないことを見出し、本発明を完成した。
【０００９】
すなわち、本発明の識別用バンドは、帯状体の所定部（通常、少なくとも一方の端部）に形成された接着剤層と、この接着剤層との接着により、被装着体に対して前記帯状体をリング状の形態で装着するための被接着部と、被接着部及び接着剤層の形成部の少なくとも一方に切り込み部とを有しており、前記接着剤層と被接着部との接着部の剥離に伴って切り込み部又は接着部が破壊可能である。このような識別用バンドは、一旦装着した後、前記接着剤層と被接着部との接着部を剥離させて被装着体から外すと、前記切り込み部又は接着部が破壊可能であるため、再使用できなくなる。また、帯状体に接着剤層と切り込み部とを形成すればよいため、構造が極めて簡単である。
【００１０】
前記切り込み部が、剥離方向の上流側に形成された少なくとも１つの剥離開始部と、この開始部から下流方向に伝播する剥離力により帯状体を破断するための破断開始部とを備えていてもよい。また、切り込み部は、剥離方向の上流側に形成された少なくとも１つの剥離開始部と、この開始部から下流方向に剥離力を伝播するための伝播部と、この伝播部の下流側に形成され、かつ伝播する剥離力により、帯状体を破断するための破断開始部とを備えていてもよい。さらに、切り込み部は、剥離開始部を構成する頂部と、この頂部から下流側に向かって帯状体の幅方向に拡がる拡大伝播部と、この拡大伝播部の下流端に位置する破断開始部とで構成された複数の破断ユニットを備えていてもよく、複数の破断ユニットは帯状体の縦横方向に隣接して形成されてもよい。このような切り込み部を形成すると、接着部の剥離に伴って確実かつ効率よく切り込み部又は接着部を破壊（又は接着部の帯状体を破断）でき、識別用バンドを再使用できなくなる。なお、本発明の識別用バンドは、帯状体の少なくとも一方の面に識別表示が付されていてもよい。
【００１１】
本発明は、帯状体の所定部（通常、少なくとも一方の端部）に形成された接着剤層と、この接着剤層との接着により、被装着体に対してリング状の形態で前記帯状体を装着するための被接着部と、被接着部及び接着剤層の形成部の少なくとも一方に切り込み部とを有する識別用バンドを製造する方法も包含する。この方法において、前記被接着部及び前記接着剤層の形成部の少なくとも一方に、接着剤層と被接着剤部との剥離に伴って切り込み部又は接着部が破壊される切り込み部を形成してもよい。
【００１２】
なお、本明細書において、切り込み部又は接着部の「破壊」とは、切り込み部や接着部の帯状体の破断と同義に用いる場合があり、切り込み部又は接着部が再接着不能な形態に変形することも含む意味に用いる。
【発明の効果】
【００１３】
本発明では、接着剤層を被接着部に接着させることにより、識別用バンドを被装着体に対して容易に装着でき、取り外す際は、接着剤層と被接着剤部との接着部の剥離に伴って切り込み部又は接着部が破壊（又は接着部の帯状体が破断）されるため、構造が簡単でありながら、不正な再使用を防止できる。また、この識別用バンドは、識別機能を有するので、個人あるいはグループを識別又は特定することができる。さらに、識別用バンドが帯状体で構成されているため、接着剤層により接合するため凸起がなく装着感に優れる。さらに、上記識別用バンドは切り込み部を所定部位に形成するという簡単な操作で製造できるた、簡便かつ安価に製造できる。
【発明を実施するための最良の形態】
【００１４】
以下に、必要に応じて添付図面を参照しつつ本発明を詳細に説明する。図１は本発明の識別用バンドの一例を示す概略斜視図であり、図２は図１の識別用バンドの切り込み部の部分拡大図であり、図３は図１の識別用バンドの使用状態を示す概略斜視図である。
【００１５】
識別用バンド１は、短冊状（又はストラップ状）の不織布製の帯状体２と、この帯状体２の一方の端部に形成され、かつ粘着剤で構成された接着剤層３と、この接着剤層３との接着により被装着体に対して帯状体２を装着するための被接着部４と、前記接着剤層３が形成された帯状体の部位（又は端部）２に形成された切り込み部５とで構成されている。なお、接着剤層３は、被装着体のサイズに応じて、帯状体２の反対側の面のうち適所（例えば、帯状体２の他方の端部）の被接着部４と接着可能であり、前記接着剤層３との接着により被装着体に対して前記帯状体２をリング状の形態で装着可能である。
【００１６】
さらに、前記帯状体２のうち接着剤層３と反対側の面には、模様や文字などで構成された識別表示又は識別マーク６が付されている。なお、接着剤層３は、剥離紙７でカバーされている。
【００１７】
前記切り込み部５には、複数のＶ字状の破断ユニット（又は切り込み）５５が形成されている。Ｖ字状の破断ユニット５５は、頂部（Ｖ字の谷部）が帯状体２の長手方向の端部側（上流方向）に向いており、複数（この図では６つ）の破断ユニット５５は帯状体２の縦横方向に隣接し、凹凸山形状（又は波形状、Ｗ字状）の形態で配列している。すなわち、Ｖ字状の破断ユニット５５は、帯状体２の長手方向に沿ってほぼ平行にしかもほぼ等間隔で隣接して形成されている。さらに、Ｖ字状の破断ユニット５５は帯状体２の幅方向にも隣接し、波形状又はＷ字状の形態で切り込み線を形成している。なお、帯状体２の端部に位置する破断ユニットは、Ｖ字状の破断ユニット５５の頂部（又は谷部）が欠損した形状に形成されている。
【００１８】
さらに、帯状体２の破断又は切り込み部５や接着部の破壊を助けるため、前記切り込み部５の周辺部には、複数（この図では５つ）の直線状破断ユニット（又は切り込み）１１，２１，３１が形成されている。すなわち、これらの直線状の破断ユニットは、帯状体２の長手方向の端部のうち幅方向の中央部に、帯状体２の長手方向に沿って形成された１つの直線状の破断ユニット（中央の破断ユニット）１１と、帯状体２の長手方向の端部の両コーナー部に所定の角度（この例では、約３０〜６０°）で形成された２つの直線状の破断ユニット（コーナー部の破断ユニット）２１と、帯状体２の両側縁部のうち切り込み部５の中央付近に、帯状体２の幅方向（長手方向に対して交差又は直交する方向）に形成された２つの直線状の破断ユニット（側部の破断ユニット）３１とで構成されている。
【００１９】
このような識別用バンド１は、接着剤層３から剥離紙７を剥離し、接着剤層３を被接着部４に接着することにより、被装着体に対して帯状体２をリング状の形態で簡便に装着できる。また、識別表示６が施されているため、識別用バンド１を装着した被装着体（装着者又は装着物）を、特定又は識別することができる。さらに、識別用バンド１は、帯状体２で構成され、かつ接着剤層３を被接着部４に接着して装着するため、接着部に突起が生成することがなく、リストバンドとして使用する場合、装着者にとって装着感を高めることができる。
【００２０】
特に、識別用バンド１は、接着剤層３と被接着剤部４との接着部を剥離させると、Ｖ字状の破断ユニット５５及び／又は直線状の破断ユニット１１，２１，３１により、切り込み部５又は接着部が再使用が不可能な形態に破断又は変形され、再使用が不可能である。より詳細には、図３に示されるように、切り込み部５においてＶ字状の破断ユニット５５の頂部（Ｖ字の谷部）５５ａが剥離方向の上流側に位置するため、接着剤層３と被接着剤部４との接着部を帯状体２の長手方向に剥離させると、破断ユニット５５の頂部（Ｖ字の谷部）５５ａで接着剤層３と被接着部４との剥離を開始できる。破断ユニット５５の頂部（Ｖ字の谷部）５５ａで接着部の帯状体２（帯状体の一方の端部又は接着剤層３が形成された端部）と他方の端部（被接着部４）とが剥離すると、剥離力は、頂部５５ａから下流方向に向かって帯状体２の幅方向に拡がりながら連続する拡大伝播部５５ｂに沿って伝播し、Ｖ字状の破断ユニット５５の下流端部（破断開始部５５ｄ）に到達する。また、剥離方向と拡大伝播部５５ｂによる剥離力の伝播方向とが異なるだけでなく、複数の破断ユニット５５が縦横方向に狭い間隔で形成されている。そのため、破断ユニット５５の頂部（Ｖ字の谷部）５５ａで接着部の帯状体２（帯状体の一方の端部又は接着剤層３が形成された端部）と被接着部４とが剥離したか否かに拘わらず、剥離力が下流方向に伝播する過程で、接着部の帯状体２（帯状体の一方の端部又は接着剤層３が形成された帯状体２の端部）では、縦横方向に形成された複数の破断ユニット５５により剥離（遊離）及び／又は破断を伴って変形しながら、接着部の帯状体２と被接着部４とが剥離し、剥離力は破断開始部５５ｄに到達する。そして、破断（引き裂き）開始部５５ｄでは、傾斜した伝播部により剥離力が集中するため、破断開始部５５ｄを起点として接着部の帯状体２が破断する。そのため、切り込み部５又は接着部では、縦横方向に配列した複数の破断ユニット５５の間隔に対応して帯状体２が細幅に剥離又は遊離するとともに変形し、切り込み部５や接着部が破壊される。
【００２１】
さらに、切り込み部５に形成されている直線状の破断ユニットも帯状体２の破断又は引き裂きを促進する。すなわち、接着剤層と被接着剤部との接着部を、前記と同様の方向から剥離すると、例えば、中央の破断ユニット１１により帯状体２を長手方向に破断又は引き裂くことができる。そのため、Ｖ字状破断ユニット５及び直線状破断ユニット１１により、切り込み部５において帯状体２を、縦横方向に配列したＶ字状破断ユニット５の形状に対応させて被接着部４から細幅に剥離させて変形させながら、破断又は引き裂くことができる。
【００２２】
なお、接着部の剥離方向が上記と異なる方向（帯状体２の斜め方向や交差する方向など）であっても、前記Ｖ字状破断ユニット５では、前記と同様に、切り込み部５又は接着部の帯状体２を、Ｖ字状破断ユニット５の形状に対応させて被接着部４から細幅に剥離（又は遊離）させて変形させながら、破断又は引き裂くことができるとともに、コーナー部の破断ユニット２１や側部の破断ユニット３１によっても帯状体２を破断又は引き裂くことができる。
【００２３】
本発明において、切り込み部又は接着部は、接着剤層と被接着剤部との接着部の剥離に伴って、再使用（又は再接着）が不可能な形態に破壊又は変形すればよく、切り込み部（又は破断ユニット）の構造は、前記構造に限定されず、種々の構造が採用できる。例えば、切り込み部（又は接着部）には、通常、破断又は変形ユニットを構成する複数の切り込みが形成されており、切り込みは、直線状又は非直線状（湾曲状、湾曲又は屈曲したジグザグ状など）の切り込みであってもよい。また、複数の切り込みは、帯状体の所定の方向（例えば、長手方向、長手方向に対して斜め方向、幅方向など）に互いに並列に形成してもよく、互いに交差させて形成してもよい。さらに、切り込みは規則的に形成してもよくランダムに形成してもよい。なお、複数の切り込みは、接着部や切り込み部を破壊できる限り、種々の間隔で形成できるが、通常、短い間隔（又は細幅）、例えば、０．１〜５ｍｍ（好ましくは０．３〜３ｍｍ、さらに好ましくは０．５〜２ｍｍ）程度の間隔で形成する場合が多い。
【００２４】
剥離に伴って切り込み部や接着部を効率よく破壊するため、切り込み部は、剥離方向の上流側に形成された少なくとも１つの剥離開始部と、この開始部から下流方向に伝播する剥離力により帯状体を破断（又は切り込み部や接着部を破壊）するための破断開始部とを備えているのが有利である。剥離開始部は、剥離方向に対して上流に形成する場合が多いものの、剥離開始部の向きは、帯状体の長手方向に限らず、斜め方向や幅方向であってもよく、規則的に又はランダムに向いていてもよい。剥離開始部の形状は、特に限定されないが、剥離力により剥離が開始しやすい形状、例えば、剥離方向の上流側に頂部（頂点）を有する形状であってもよい。すなわち、剥離開始部は、破断ユニットの頂部で構成してもよい。頂部（頂点）の形状としては、点状、尖角又はＶ字状（先端が湾曲したＶ字状又はＵ字状を含む）、コ字状、湾曲又は円弧状などが例示できる。尖角状の頂部の角度は、鈍角であってもよく鋭角であってもよく、例えば、２０〜１２０°（好ましくは３０〜１００°、さらに好ましくは３０〜９０°）程度であってもよい。
【００２５】
さらに、切り込み間隔が小さな形態で剥離開始部と破断開始部とを形成する場合のように、剥離開始部からの剥離力を破断開始部に伝播できる限り、前記伝播部は必ずしも必要ではないが、剥離開始部と破断開始部との間には、開始部から下流方向に剥離力を伝播するための伝播部が介在するのが有利である。伝播部は、連続した切り込み又は非連続の切り込み（ミシン目など）で形成してもよい。伝播部を構成する切り込みは、直線状であってもよく湾曲していてもよい。伝播部による剥離力の伝播方向又は伝播部を構成する切り込みの方向は、特に限定されず、帯状体の長手方向又は剥離方向に対して、同じ方向であってもよく、斜め方向であってもよい。好ましい態様では、帯状体の長手方向又は剥離方向に対して斜め方向（例えば、帯状体の幅方向）に拡がる（特に剥離開始部から両側方へ拡がる）切り込みを形成するのが有利である。すなわち、伝播部は、剥離開始部（頂部など）から剥離方向の下流側に向かって帯状体の幅方向に拡がる拡大伝播部で構成してもよい。前記斜め方向に拡がる切り込みは、剥離開始部から複数の切り込みが延びる形態、例えば、Ｖ字状、Ｕ字状や紡錘状などのように剥離開始部から２つの切り込みが拡がる形態であってもよく、剥離開始部から３以上の複数の切り込みが拡がる形態であってもよい。
【００２６】
破断開始部は、剥離力に伴って帯状体を破断可能であればよく、通常、伝播部の切り込みの終点で構成する場合が多い。破断開始部は、帯状体を効率よく破断させるため、剥離開始部の下流側で互いに合流又は交差する複数の切り込み（特に、帯状体の長手方向に対して交差する方向に形成された複数の切り込み）で構成するのが有利である。このような破断開始部を形成すると、伝播する剥離力が破断開始部に集中するため、破断開始部から帯状体を効率よく破断できる。また、破断開始部を、隣り合う破断ユニットの近傍や帯状体の周縁部の近傍に形成すると、帯状体の破断や変形を大きくできる。そのため、複数の破断ユニットは隣接させて形成してもよい。
【００２７】
さらには、切り込み部は、前記のように、剥離開始部と伝播部と破断開始部とで構成された複数の破断ユニットを備えているのが好ましい。前記破断ユニットは、前記Ｖ字状の破断ユニットに限らず、例えば、Ｕ字状、γ字状、コ字状、Ｘ字状、Ｙ字状などの形態であってもよい。さらには、前記のように、剥離開始部から下流方向に放射方向に延びる切り込みで構成された放射状の破断ユニットであってもよい。
【００２８】
切り込み部は、被接着部及び接着剤層の形成部の少なくとも一方に形成すればよく、被接着部に切り込み部を形成してもよいが、接着剤層の形成部に切り込み部を形成するのが好ましい。
【００２９】
また、接着部（又は接着剤層が形成される帯状体の所定部）の周縁部には、線状破断ユニット（又は切り込み）を形成してもよい。この破断ユニット（切り込み）は、直線状であってもよく湾曲していてもよく、切り込みの深部で分岐していてもよい。線状破断ユニット（又は切り込み）は適所に形成できるが、種々の剥離方向にも対処するため、少なくとも接着部（例えば、帯状体の端部）の周縁部位（長手方向の端部及び／又はコーナー部など）、特に周縁部位の複数箇所に形成するのが有利である。複数の線状破断ユニット（又は切り込み）は、接着剤層が形成される部位の端部（帯状体の長手方向の端部）とこの端部に隣接する側縁部において、全体として放射方向に形成してもよい。
【００３０】
なお、破断ユニット（剥離開始部を有する破断ユニット及び／又は線状破断ユニット）は単独で又は二種以上組み合わせて使用してもよい。
【００３１】
破断ユニットの数、大きさ、配置（位置、方向、間隔）は特に限定されないが、切り込み部又は接着部がより容易に破壊される構成が好ましい。特に、複数の破断ユニットは、帯状体の接着部にランダムに配置して形成してもよいが、破断又は破壊箇所や変形を増加させるため、複数の破断ユニットを帯状体の縦横方向に隣接させて形成するのが好ましい。
【００３２】
切り込み部は、帯状体のうち、接着部を介して接合可能な接着剤層の形成部及び被接着部の少なくとも一方に形成すればよく、被接着部に形成してもよいが、接着剤層の形成部に切り込み部を形成すると、帯状体の長手方向において被接着部を任意に選択でき、被装着体のサイズや種類に対応させてバンドを装着できる。
【００３３】
なお、剥離の開始と剥離力の伝播と破断の開始とは、連続的又は間欠的に生じてもよい。さらに、破断ユニットの破壊又は変形は、一つの破断ユニットで生じてもよく、複数の破断ユニットで生じてもよい。
【００３４】
帯状体としては、リング状の形態で装着するための可撓性と、識別用バンドとしての使用に耐えうる強度とを有していればよい。また、切り込み部の引っ張り強度は、接着材層と被接着部との剥離に伴って、再使用不可能な形状に接着部又は切り込み部が破壊又は変形する強度を有していればよい。また、識別用バンドに使用する接着剤としては、リング状の形態で接着した後、識別用バンドとしての使用に耐えうる接着力（切り込み部又はその帯状体の部位の引っ張り強度より大きい接着強度）であって、かつ切り込み部を破壊可能な強度を有していればよい。すなわち、帯状体の引っ張り強度Ｆ1と、接着剤と帯状体との接着強度Ｆ2と、切り込み部の引っ張り（又は破壊）強度Ｆ3との関係は、Ｆ1＞Ｆ3かつＦ2＞Ｆ3であり、Ｆ1およびＦ3は識別用バンドとしての使用に耐えうる強度を有し、さらにＦ3は切り込み部を破壊又は破断可能な強度であればよい。このような関係を充足する限り、識別用バンド１を形成する帯状体および接着剤の種類などは限定されず、種々の材料が使用できる。
【００３５】
帯状体は、少なくとも強靱で可撓性の高い種々の材料、例えば、布類、紙類、プラスチックシート類、皮革類などで構成できる。これらの材料は単独で又は二種以上組み合わせて使用できる。
【００３６】
布類や紙類を形成する繊維としては、天然繊維（綿、絹、麻やパルプなど）、半合成繊維（ビスコース人造絹糸（レーヨン）など）、再生繊維（アセテート人絹など）、合成繊維が使用できる。例えば、合成繊維としては、ポリ塩化ビニル系繊維、アクリル系繊維、ポリウレタン系繊維、６−ナイロン、６，６−ナイロン、アラミド繊維などポリアミド系繊維、ポリエステル系繊維、ビニロンなどのポリビニルアルコール系繊維、ポリエチレン、ポリプロピレンなどのポリオレフィン系繊維などが挙げられる。さらに、金属繊維、炭素繊維などの無機繊維であってもよい。これらの繊維は単独で又は二種以上組み合わせて使用できる。これらの繊維のうち、耐水性、耐久性、表示性の点から、合成繊維、例えば、アクリル系繊維、ポリアミド系繊維（アラミド繊維など）、ポリエステル系繊維やポリオレフィン系繊維（例えば、極細ポリエチレン繊維）などが例示できる。なお、アラミド繊維は、例えば、東レ・デュポン株式会社から「ケブラー（登録商標）」などとして入手でき、極細ポリエチレン繊維は、旭・デュポン  フラッシュスパン  プロダクツ株式会社から「タイベック（登録商標）」などとして入手できる。なお、繊維は混紡し使用してもよい。例えば、装着感を高めるため、混紡により性質を改良（吸水性の向上や、風合いの改善など）してもよい。
【００３７】
帯状体は、通常、布帛、例えば、織布や不織布の形態で使用される。生産コストなどの点から、不織布を用いる場合が多い。
【００３８】
プラスチックシート類を形成する樹脂としては、例えば、オレフィン系樹脂（ポリエチレン樹脂など）、塩化ビニル系樹脂、ポリエステル系樹脂（ポリエチレンテレフタレート樹脂など）、ポリアミド系樹脂、セルロースアセテート系樹脂などが挙げられる。これらの樹脂は単独で又は二種以上組み合わせて使用できる。皮革類としては、（天然皮革や合成皮革など）が例示できる。
【００３９】
帯状体は、通常、細幅のストラップ状、短冊状などの形態で使用する場合が多いものの、被装着体を環状又は巻回の形態で取り付け可能であれば特に制限されず、例えば、周縁部が曲線状に形成されていてもよく、装飾形状（例えば、花型や星形などに縁取りされる形状など）に形成されていてもよい。なお、帯状体の長さは、被装着体のサイズや形状などに応じて選択でき、例えば、１〜５０ｃｍ程度であってもよい。リストバンドとして使用する場合、帯状体の長さは、例えば、５〜４０ｃｍ、好ましくは１０〜３０ｃｍ、さらに好ましくは１５〜２５ｃｍ程度であってもよい。帯状体の幅も、被装着体の種類に応じて、１〜５０ｍｍ程度であってもよい。リストバンドとして使用する場合、帯状体の幅は、例えば、５〜４０ｍｍ、好ましくは１０〜３０ｍｍ、さらに好ましくは１５〜２５ｍｍ程度であってもよい。
【００４０】
また、帯状体は、単層構造であってもよく積層又は多層構造であってもよい。多層構造の場合、各層に異なった機能を有する材料を使用できる利点がある。例えば、２層構造とする場合、被装着体に接触する装着面には天然繊維などの装着感に優れた材料を使用してもよい。一方、装着面に対して反対側である帯状体の表面には、耐水性、耐久性及び表示性に優れた材料を使用してもよい。また、帯状体の表面は、平面状である場合が多いものの、装着の妨げにならない程度の凹凸（例えば、被装着体と識別用バンドとの間の通気性をよくするための小さな突起など）や、立体装飾（例えば、花型やキャラクターなどの装飾など）を有していてもよい。
【００４１】
接着剤層は、粘着性接着剤で構成できる。例えば、アクリル系粘着材（アクリル酸エステルのホモ又はコポリマーなど）、ゴム系粘着材（イソプレンゴム、クロロプレンゴム、スチレン−ブタジエンゴム、ニトリルゴムなど）、その他の粘着材（酢酸ビニル系、エチレン−酢酸ビニル（ＥＶＡ）系、ポリウレタン系、ビニルエーテル系、シリコーン系粘着材など）などが挙げられる。また、識別用バンドの用途によっては、接着剤、例えば、熱可塑性樹脂（例えば、オレフィン系樹脂、ポリビニルアルコール系樹脂、スチレン系樹脂、ポリエステル系樹脂、ポリアミド系樹脂、セルロース誘導体、天然樹脂、多糖類など）や熱硬化製樹脂（エポキシ系樹脂、フェノール系樹脂、フラン系樹脂、ユリア系樹脂など）などで構成される接着剤で接着剤層を構成してもよい。これらの接着剤（粘着材を含む）は単独で又は二種以上組合わせて使用できる。なお、接着剤は、水や有機溶媒に可溶であってもよく、溶液又は分散体（エマルジョンなど）の形態で帯状体に塗布できる。
【００４２】
接着剤層は、面状に限らず、線状（格子状などを含む）、点状などの形状に形成してもよい。また、接着剤層の幅は、帯状体の幅と同程度であってもよく、帯状体の幅より小さくてもよい。また、接着剤層の長さ（帯状体の長手方向の長さ）は、例えば、リストバンドとして使用する場合、０．５〜５ｃｍ、好ましくは１〜４ｃｍ程度であってもよい。接着剤の塗布量は、通常、１〜１００ｇ／ｍ2、好ましくは５〜８０ｇ／ｍ2、さらに好ましくは１０〜７０ｇ／ｍ2であってもよい。
【００４３】
接着剤層は、帯状体の所定部に形成すればよく、被装着体の種類などに応じて適所に形成できる。好ましい態様では、接着剤層は、帯状体の少なくとも一方の端部に形成される。被装着体のサイズなどに対応させて被接着部を選択するため、接着剤層は帯状体の一方の端部に形成する場合が多い。
【００４４】
なお、剥離紙としては、離型処理された汎用の剥離シート（剥離処理した剥離紙や剥離フィルム）を用いてもよい。
【００４５】
識別表示は、必ずしも必要ではなく、帯状体の少なくとも一方の面に施されていればよ区、帯状体の片面又は両面に施されていてもよい。
【００４６】
識別表示は種々の方法（印刷、シール貼着、筆記など）で施すことができ、必要であればバーコードやＩＣチップなどを帯状体と一体化（埋設、接着などによる一体化）してもよい。
【００４７】
前記構造の識別用バンドは、前記被接着部及び前記接着剤層の形成部の少なくとも一方に、接着剤層と被接着剤部との接着部の剥離に伴って破壊する切り込み部を形成することにより製造できる。より具体的には、帯状体の所定部に接着剤を塗布して接着剤層を形成した後、接着剤層の形成部位に切り込み部を形成してもよく、帯状体の所定部に切り込み部を形成した後、切り込み部に接着剤を塗布して接着剤層を形成してもよい。切り込み部が破断又は変形するのを防止するためには、前者の方法が有利である。なお、切り込み部又は破断ユニット（切り込み）は、慣用の方法、例えば、鋭利な刃を使用し、パンチング操作などにより帯状体の所定部に形成することにより行うことができる。なお、刃による切り込みは剥離紙を介して行ってもよく接着剤層側から行ってもよい。なお、切り込み部を形成する工程、接着剤層を形成する工程、帯状体に識別表示を付する工程などの諸工程は適当な順序で行うことができ、例えば、所定の大きさと識別表示とを有する帯状体に、切り込み部と接着剤層とを形成してもよい。
【産業上の利用可能性】
【００４８】
本発明は、プール、遊園地などの有料施設で、入場券、整理券、利用券などとして使用できる。例えば、年齢や身長制限のある乗り物の場合、乗車可能な乗り物か否かを識別用バンドの色彩や模様などにより識別することもできる。また、病院で患者や新生児を識別したり、集団検診において個人を確認したり、航空手荷物の所有者を確認するためにも利用できる。
【図面の簡単な説明】
【００４９】
【図１】図１は本発明の識別用バンドの一例を示す概略斜視図である。
【図２】図２は図１の切り込み部の部分拡大図である。
【図３】図１の識別用バンドの使用状態を示す概略斜視図である。
【符号の説明】
【００５０】
１…識別用バンド
２…帯状体
３…接着剤層
４…被接着部
５…切り込み部
６…識別表示
７…剥離紙
１１，２１，３１…直線状の破断ユニット
５５…Ｖ字状の破断ユニット
【図１】
2005234497.tif 000003
【図２】
2005234497.tif 000004
【図３】
2005234497.tif 000005